(57)【要約】本発明は、デジタルカラー画像と多用なアナログ画像形成法と組み合わせて、ハイブリッドデジタル／アナログ画像を形成する融通がきき、かつ便利な方法であって、アナログがデジタル形成された画像上に直接形成される方法である。
2005502074.tif 000002
【特許請求の範囲】
【請求項１】
支持体上にデジタルカラー画像を生成し；
該支持体と緊密に接触させた状態でアナログ受理体材料を集成し；
該アナログ受理体材料上の光重合性アナログ色材に、輻射線による像様露光を施し；そして、
該露光済光重合性アナログ色材を処理することにより、ハイブリッドデジタル/アナログ画像を形成する
ことを含む方法。
【請求項２】
さらに、集成後に、該アナログ受理体材料上に該光重合性アナログ色材を塗被することを含む請求項１に記載の方法。
【請求項３】
デジタルカラー画像の生成が：
デジタル受理体要素と緊密に接触させた状態で、着色剤を含むデジタル供与体要素を集成し；
該集成体に輻射線による露光を施すことにより、該デジタル供与体要素から該デジタル受理体要素に、該着色剤の少なくとも一部を転写し；そして、
該デジタル受理体要素から該デジタル供与体要素を分離する
ことを含む請求項１に記載の方法。
【請求項４】
該集成工程と露光工程と分離工程とが、1回以上反復されるサイクルを形成し、該サイクルの反復毎に、異なる着色剤を含む異なる供与体要素が使用されるがしかし、同じデジタル受理体要素が、該サイクルの反復毎に使用される請求項３に記載の方法。
【請求項５】
さらに、該ハイブリッドデジタル/アナログ画像を最終受容体にカップリングし、そして、該デジタル生成カラー画像からデジタル受理体要素を除去することにより、ハイブリッドデジタル/アナログカラープルーフを形成することを含む請求項１に記載の方法。
【請求項６】
該アナログ受理体材料が第1アナログ受理体材料であり、該光重合性アナログ色材が、第1光重合性アナログ色材であり、前記方法がさらに、該ハイブリッドデジタル/アナログ画像と緊密に接触させた状態で、第2アナログ受理体材料を集成することを含む請求項１に記載の方法。
【請求項７】
該第2アナログ受理体材料上の第2光重合性アナログ色材に像様露光を施し；そして、
該露光済第2光重合性アナログ色材を処理することにより、第2ハイブリッドデジタル/アナログカラー画像を形成する
ことを含む請求項６に記載の方法。
【請求項８】
該デジタルカラー画像と緊密に接触させた状態でアナログ受理体材料を集成することが、該デジタルカラー画像に該アナログ受理体材料を貼り合わせることを含む請求項１に記載の方法。
【請求項９】
該露光済光重合性アナログ色材を処理することが、該光重合性アナログ色材の露光されていない領域を除去することを含む請求項１に記載の方法。
【発明の詳細な説明】
【技術分野】
【０００１】
本発明は印刷システム、より具体的にはカラー印刷システムに関する。
【背景技術】
【０００２】
画像再現プロセスにおいて使用することができる感光性要素が、グラフィックアート産業において良く知られている。このような要素は通常、画像担持透明体、例えば色分解透明体を通して化学線による露光を施され、これにより、使用された透明体に関してポジティブ又はネガティブな画像が生成される。
【０００３】
印刷により生成される画像をシミュレートするためのオフプレスカラー校正においては、感光性要素が幅広く使用される。重ね刷りプルーフの場合、例えば単一支持体に対する多重露光、貼り合わせ又は転写により、着色画像の全てが重ね合わされる。オーバーレイプルーフとは異なり、着色画像は分離して個々に見ることはできない。
【０００４】
光重合技法及び熱転写技法を伴う、画像のコピーを生成するための種々のプロセスが知られている。一般に、これらのプロセスにおいて、好適な支持体上に塗被された光重合性層を、写真用透明体を通して像様露光する。露光済層は、次いで、別個の要素の画像受理面と接触するように圧着され、そしてこれらの要素の少なくとも一方が、層の露光されていない部分の転写温度を上回る温度まで加熱される。次いでこれら2つの要素は分離され、これにより複合材料の熱転写可能な未露光画像領域が、画像受理要素に移る。この要素が予め着色されていない場合には、ここで粘着性の未露光画像を所望のトナーで選択的に着色することができる。これらのプロセスの全ては、特殊処理された最終受容体シートの使用を必要とし、用紙上にカラー校正用画像を得るために適用することはできない。要素が予め着色されている場合には、色を選択する上での融通性が制限される。なぜならば全ての所望の色で予着色要素を調製することは、経済的に実現可能ではないからである。調色が色の融通性を大きくする。
【０００５】
米国特許第5,534,387号明細書は、着色画像の形成方法を開示している。前記方法は順番に、1種以上の水透過性着色剤含有組成物を感光性要素に塗布することを含み、該感光性要素が、水性液現像に対して耐性で剥離面を有するキャリヤ要素と、第1接着層と、事実上、水性液で現像可能な感光性組成物から成る顔料非含有第1感光性層とを順に含み、該水透過性着色剤含有組成物が該第1感光性層に接触し、該水透過性着色剤含有組成物が顔料非含有感光性組成物に塗布されることを含む。化学線による像様露光の後、透過性着色剤含有組成物が塗布された感光性要素は、顔料非含有第1感光性層とその上に被さる透過性着色料含有組成物とに、像様露光済領域と像様露光されていない領域とをもたらす。次いでこの要素を現像し、これにより、像様露光済領域又は像様露光されていない領域を除去して、第1着色パターンを生成する。次いで、第1着色パターンを有する要素に、剥離面を有する転写要素を貼り合わせる。この場合、剥離面は第1着色パターンに隣接する。次いでキャリヤ要素を除去し、接着層を露出する。次いでこの要素を永久支持体に貼り合わせ、そして、剥離面を有する転写要素を剥離して、これにより永久支持体上に単色画像を残す。多色画像の形成方法も開示されている。この方法は、色の融通性を提供するが、しかし、これらのプルーフを調製するのに必要な時間は、レーザー誘起型サーマル画像を形成するのに必要な時間よりも長い。さらにこの方法はアナログ法なので、分離透明体の使用を必要とする。分離透明体の使用は、色交換が望まれる度に繰り返す必要がある。
【０００６】
米国特許第6,165,654号明細書(Taylor他)は、複合デジタル/アナログカラー校正法を開示している。この方法は、受理体支持体と画像受理層とを含む受理体要素上にカラーサーマル画像をデジタル形成し；このデジタル形成画像を、剥離面を有する支持体と熱可塑性ポリマー層とを含むフィルムと貼り合わせ；支持体を除去することにより、熱可塑性ポリマーフィルムを露出させ、そして画像受理層と熱可塑性ポリマー層との間に包囲されたデジタル形成画像を残し；そして、露出された熱可塑性ポリマー層にアナログカラー画像を貼り合わせることにより、2つ以上のカラー画像を有するカラープルーフを形成する、工程を有する。
【発明の開示】
【発明が解決しようとする課題】
【０００７】
本発明は、カラー画像プルーフを形成するハイブリッド法であって、デジタルカラー画像上に直接的にアナログカラー画像を形成することができる方法に関する。
【０００８】
レーザー誘起型プロセスによってもたらされる高解像度及び高い速度と、アナログシステムによってもたらされる色多様性とを組み合わせる必要がある。さらに、アナログシステムの色多様性との組み合わせにおいて、レーザー誘起型転写システムだけに留まらず、他のシステムも利用して、デジタルカラー画像を生成する方法/システムが必要である。加えて、複合デジタル/アナログカラー画像を生成するための能率化されたハイブリッド法であって、デジタルカラー画像及びアナログカラー画像のそれぞれが別個に生成されることのない方法が必要である。
【課題を解決するための手段】
【０００９】
本発明によれば、本発明は、ハイブリッドデジタル/アナログカラー画像の形成方法であって、支持体上にデジタルカラー画像を生成し、該デジタルカラー画像を担持する該支持体と緊密に接触させた状態でアナログ受理体材料を集成し、該アナログ受理体材料上に光重合性アナログ色材を塗被し、該光重合性アナログ色材に輻射線による像様露光を施し、そして、該露光済光重合性アナログ色材を処理することにより、ハイブリッドデジタル/アナログ画像を形成することを含む方法に関する。
【００１０】
別の実施態様の場合、本発明は、ハイブリッドデジタル/アナログカラー画像の形成方法であって、支持体上にデジタルカラー画像を生成し、該デジタルカラー画像を担持する該支持体と緊密に接触させた状態でアナログ受理体材料を集成することを含む方法に関する。このアナログ受理体材料には、集成前に、光重合性アナログ色材を塗被する。この方法もまた、光重合性アナログ色材に輻射線による像様露光を施し、そして、該露光済光重合性アナログ色材を処理することにより、ハイブリッドデジタル/アナログ画像を形成することを含む。
【００１１】
本発明の方法において、デジタルカラー画像は、インクジェット、サーモグラフィ、電子写真、エレクトログラフィ、レーザー誘起型転写、及びその組み合わせから成る群から選択された技法によって生成することができる。好ましくはレーザー誘起型転写法は、色素昇華、アブレーション、溶融体転写及び膜転写から成る群から選択された転写法を含む。
【００１２】
一つの実施態様の場合、本発明の方法は、デジタル受理体要素と緊密に接触させた状態で、着色剤を含むデジタル供与体要素を集成し、該集成体に輻射線による露光を施すことにより、該デジタル供与体要素の該着色剤の少なくとも一部を該デジタル受理体要素に転写し、そして、該デジタル受理体要素から該デジタル供与体要素を分離して、該デジタル受理体要素上に存在するカラー画像を残すことにより、デジタルカラー画像を生成することを含む。該集成工程と露光工程と分離工程とが、1回以上反復することができるサイクルを形成し、該サイクルの反復毎に、異なる着色剤を含む異なる供与体要素が使用されるがしかし、同じデジタル受理体要素が、該サイクルの反復毎に使用される。
【００１３】
本発明の方法によれば、これらの方法はさらに、該ハイブリッドデジタル/アナログ画像を最終受容体にカップリングし、そして、該デジタル生成カラー画像からデジタル受理体要素を除去することにより、ハイブリッドデジタル/アナログカラープルーフを形成することを含むことができる。
【００１４】
またこれらの方法はさらに、例えば、該ハイブリッドデジタル/アナログ画像と緊密に接触させた状態で、第2アナログ受理体材料を集成し、該受理体要素上に第2光重合性アナログ色材を塗被し、そして該像様露光工程と該処理工程とを反復することにより、2つの異なるアナログカラー画像を有するハイブリッドデジタル/アナログカラー画像を形成することを含むことができる。
【発明の効果】
【００１５】
本発明は多くの利点を提供することができる。アナログ技法は、広範囲の色を提供できる点で有利であり、デジタル技法は、画像データの容易な保存及び操作を可能にする点で有利である。本発明はさらに、デジタル画像及びアナログ画像の見当合わせを向上させることができる。
【発明を実施するための最良の形態】
【００１６】
本発明は、デジタル画像とアナログ画像とを含むカラー画像プルーフを形成するための技法に関する。これらの技法は、デジタル画像形成及びアナログ画像形成のそれぞれの利点を組み合わせる。アナログ技法の利点は、アナログ技法を使用することにより、多種多様な色を印刷できることである。デジタル技法は、画像データの保存及び操作が容易であるという利点を含む。本発明は、デジタル生成画像上に1又は2つ以上のアナログ画像を形成することにより、デジタル画像形成及びアナログ画像形成の利点を組み合わせる。
【００１７】
本発明による方法において、画像がデジタル保存された画像情報に従って形成される限り、種々の技法によってデジタル画像を形成することができる。好適な技法の一例としては、インクジェットシステム、サーモグラフィシステム、電子写真システム、エレクトログラフィシステム、及びレーザー誘起システムが挙げられる。アナログシステムの材料がデジタル形成画像と適合する限り、本発明の方法において使用するのに、いかなるシステムも適している。例えば、アナログシステムの材料はデジタル画像に付着するのがよく、また、デジタル画質を妨げないのがよい。
【００１８】
上述のように、本発明の方法にはインクジェットシステムを用いることができる。これらのインクジェットシステムは大雑把に行って、連続ジェットシステムとオンデマンドシステム(インパルスシステム)に分類される。第1のコンベンショナルな例では、中間トーン記録(ディザー法)を行うために特定のマトリックスサイズに変換されたあとに、ドットが印刷される。第2のコンベンショナルな例は、異なる濃度を有するインクを収容する複数のインク室と、インク室のそれぞれに対応する複数のノズルと、異なる濃度を有する同色の2種以上のインクに対応する複数のドット形成区分とを含む。後者のプリンターの場合、マトリックスとして形成される画素のグレイスケールレベルは、マトリックス中に供給されたインク粒子の数、及びインク粒子濃度をグレイスケール信号に従って変化させることによって生成される。第3の例において、射出されるインク液滴のサイズは、圧電デバイスの駆動パルス条件を変更することにより変えられる。
【００１９】
主走査域の全長に相当する長さを有する記録ヘッドを使用することにより、ライン型インクジェット記録装置は画像を記録する。すなわち、記録ヘッドは、主走査方向に相当する、記録ヘッドの延在方向に配置された複数のノズルを備えているので、ノズルは、画像が形成される記録紙のような記録媒体の全幅を占める。ライン型インクジェット記録装置によれば、記録ヘッドの延在方向に対して垂直方向に記録媒体を動かすことにより、記録媒体上にインク液滴を発射することによって、記録媒体上に記録される。
【００２０】
副走査方向に配置された複数のノズルを有する記録ヘッドを使用することにより、シリアル走査型インクジェット記録装置は画像を記録する。記録媒体が副走査方向でステップ状に動かされるのに対して、記録ヘッドを主走査方向に動かすことにより、記録媒体上にインク液滴を発射することによって、記録紙のような記録媒体上に画像が記録される。
【００２１】
上述のインクジェット記録装置の場合、記録ヘッド上に設けられたノズルのピッチによって、記録密度(ドット密度)が決定される。従って、高密度記録を達成するためには、ノズルのピッチを減らさなければならない。しかし、ピッチの小さなノズルの形成は難しいので、ピッチサイズには限度がある。従って、記録密度の増大には限度がある。
【００２２】
サーモグラフィシステムの場合、フィルムベース又は紙ベースに、固形インクの薄膜が塗被され、次いでこの薄膜は、インクが塗被されたベースと接触したサーマルヘッドによって像様加熱される。典型的には、インクは物理的に変化させられ(例えばインクは溶融又は昇華してよい)、受理体に移り、これにより受理体上にカラー画像を生成する。この技法のさらに詳細な説明は、「Imaging Processes and Materials」第13章(Neblette、第8版)(1989)に見出すことができる。
【００２３】
液体エレクトログラフィ画像形成システムは、画像形成用支持体を含み、この画像形成用支持体上には現像液が供給され、これにより潜像を現像する。画像形成用支持体は永久的な画像受容体であるか、あるいは、一時的な画像受容体であってもよく、そしてドラム、ベルト又はシートの形を成してよい。液体エレクトログラフィ画像形成システムは、画像形成用支持体として誘電材料を有する静電システムであってよく、あるいは、画像形成用支持体として光受容体を有する電子写真システムの形を成してもよい。誘電材料を利用する静電システムの場合、静電スタイラスで誘電性支持体を選択的に帯電させることにより、潜像を形成することができる。電子写真システムの場合、光受容体は、例えばコロナ放電デバイスで均一に帯電される光伝導性材料を含む。電磁輻射線パターンで光受容体を選択的に放電させることにより、光受容体上に潜像を形成することができる。
【００２４】
多色画像形成システムは、幾つかの画像形成ステーションを含むことができる。これらのステーションは画像形成用支持体上に複数の潜像を形成する。多色画像形成システムにおける潜像のそれぞれは、再現される元の多色画像に対応する複数の色分解画像のうちの一つを表す。潜像が形成されると、現像ステーションは、画像形成用支持体に現像液を塗布することにより、潜像を現像する。
【００２５】
現像液はキャリヤ液と現像剤粒子とを含む。現像剤粒子は、電荷指向剤と、着色剤、例えば色素又は顔料とを含むことができる。多色画像形成システムにおいて、複数の現像ステーションのそれぞれは、画像形成用支持体に、適切に着色された現像剤を塗布し、これにより、対応する色分解画像の中間表示を形成する。乾燥ステーションが、1又は2つ以上の現像ステーションによって塗布された現像液を乾燥させ、現像剤材料膜を残す。次いで転写ステーションが、画像形成支持体から出力支持体、例えば紙、布地、プラスチック又はフィルムのシートに現像剤材料を転写し、これにより、元の画像の可視表示を形成する。幾つかの静電画像形成システムの場合、画像形成支持体が出力支持体として役立つので、転写は必要ない。
【００２６】
電子写真の場合、光伝導性層の表面を均一に帯電させ、次いで、光のパターンを帯電表面に当てることにより、導電性支持体上に電気的に絶縁性の光伝導性素子を有するプレート、ベルト又はドラムの形の光受容体に画像が形成される。この露光は、照射された領域内の電荷を消散させ、これにより帯電領域と不帯電領域とから成るパターンを形成する。次いで液状又は固形のトナーが、帯電領域又は不帯電領域に堆積され、これにより光伝導性層の表面上に、トーンを有する画像が形成される。結果として生じた可視トナー画像を、好適な受理表面、例えば紙に転写することができる。この画像形成プロセスは多数回繰り返すことができる。
【００２７】
レーザー誘起型転写は、DeBoerの米国特許第5,126,760号明細書に記載されているように、(印加されるエネルギーが所与の閾値を超えるか否かに応じて）ゼロ濃度又は最大濃度が転写される2レベル画像を付与する、バインダー、着色剤、及び赤外吸収剤の物質移動に関与するか、あるいは、連続トーン画像を付与する色素昇華転写(この転写においては、転写済画像の濃度は、吸収されるエネルギーに伴って有意な範囲にわたって変化する)に関与することができる。レーザー誘起型物質移動は、文献「Applied Optics, 9,2260〜2265(1970)」において、例えば2つの異なるモードを介して発生するものとして特徴付けされている。一方のモードは、流体状態で(すなわち溶融体又は膜の移動によって)移動が発生する低エネルギーモードに関与し、他方のモードは、支持体-塗膜の界面に気体が発生して急速に膨張する結果として、爆発力によって(すなわちアブレーション移動によって)移動が発生する高エネルギーモードに関与する。この区別は、米国特許第5,156,938号明細書(Foley)、同第5,171,650号明細書(Ellis)、同第5,516,622号明細書(Savini)及び同第5,518,861号明細書(Covalaskie)においても認識されている。上記明細書は、溶融体移動と区別されるプロセスとしてアブレーション移動に言及しており、また、溶融状態又は半溶融(軟化)状態での着色剤の移動に言及していて爆発メカニズムについては何も述べていない米国特許第5,501,937号明細書(Matsumoto)、同第5,401,606号明細書(Reardon)、同第5,019,549号明細書(Kellogg)及び同第5,580,693号明細書(Nakajima)とは異なり、その爆発性に言及している。
【００２８】
一つの実施態様の場合、本発明のデジタル画像形成は、米国特許第5,935,758号明細書(patel他)にさらに詳細に記載されているように、レーザーからのエネルギーの影響下で、物質移動(本明細書中では「膜転写」と呼ぶ)を介して、着色剤(例えば色素又は顔料)を供与体から受容体へ転写することによって行われる。一般にこのシステムは、バインダー、着色剤及び添加剤から成る膜の不連続的なドットの形のハーフトーンデジタル画像を、供与体から受容体へ物質移動することに関与する。これらのドットは溶融膜又は軟化膜から形成され、そして、良好に画定された概ね連続的なエッジを有する。これらのエッジは、濃度又はエッジ鮮明度に関して比較的シャープである(すなわち羽状ではない)。換言すれば、これらのドットは、これらの面積全体にわたって比較的均一な厚さを有して形成されている。このことは、分子色素のサーマル色素転写又はレーザー色素転写(拡散又は昇華による、バインダーを有さない着色剤の転写に関与する)の結果として形成された不連続ドット、又は、材料の断片のレーザーアブレーション物質移動(受容体に向かって着色剤を推進するための推進力を発生させるために、転写材料中又は転写材料の下で、バインダー又はその他の添加剤を少なくとも部分的に分解及び/又は揮発させることに関与する)の結果として形成された不連続ドットとは対照的である。レーザーアブレーション物質移動も、レーザー色素転写も、比較的均一な厚さを有する良好に画定されたドットを生成することはない。本発明のシステムにより生成された、概ね連続的で比較的シャープなこのようなエッジは、制御された再現可能なドットゲイン(すなわちハーフトーンドットサイズの変化)、ひいては制御された再現可能な色を生成するのに重要である。また本発明のこのシステムは、潜架橋剤及び漂白剤のような成分を含む。下記にさらに詳細に説明するように、このような成分は、ドットサイズの制御可能性、並びに、色の再現可能性及び正確さを高める。
【００２９】
本発明の方法を具体的に説明するために、物質移動システムを含むハイブリッド校正法を説明する。この技法によれば、本発明のデジタル供与体要素は供与体支持体を含み、この供与体支持体上には、好ましくは1層内で転写材料が塗被されており、この転写材料は、ヒドロキシ酸バインダー、フルオロカーボン添加剤、漂白可能な赤外吸収色素、潜架橋剤(すなわち潜硬化剤)及び分散性材料(例えば顔料)を含有している。本発明のデジタル受容体要素は典型的には、受理層を形成するためにバインダー、漂白剤及び任意の添加剤が塗被されたデジタル受理体支持体を含む。デジタル受容体要素は好ましくは、制御された粗面度を備えた、テキスチャ化表面を有しており、この表面は、受容体の外面の平面の上に延びる複数の突起を含む。テキスチャ化表面は、受理層を形成するバインダー中にポリマービード、シリカ粒子などを内蔵することにより、形成することができる。
【００３０】
本発明のデジタルシステムの画像形成中に、画像は、供与体上に塗被された単色材料層から、剥離可能な材料層が塗被された中間受容体に転写される。供与体から中間受容体に着色材料をレーザー誘起型転写することによって、中間受容体上に反転画像が形成される。着色供与体は、最終受容体と緊密に接触するように配置され、レーザーによる像様露光を施される。レーザービームが供与体に衝突する領域内で、単色層は供与体から受容体に転写される。供与体が続いて除去されると、画像形成済領域は受容体上に残り、画像形成されていない領域は供与体上に残る。中間受容体と見当合わせされた状態で、種々異なる着色供与体を用いてこのプロセスを繰り返すことにより、多色画像が形成される。
【００３１】
本発明の一つの好ましいレーザー誘起型転写デジタル供与体要素(すなわち供与体)は、転写材料が塗被された供与体支持体を含むのが典型的である。この転写材料は、1又は2層以上、好ましくは1層内にヒドロキシル系バインダー、フルオロカーボン添加剤、漂白可能な赤外吸収色素、潜架橋剤(すなわち潜硬化剤)及び分散性材料(例えば顔料)（これら全てを下記に詳細に説明する)を含有することができる。任意ではあるが好ましいその他の成分は分散剤、及び塗被助剤、例えばフルオロカーボン界面活性剤を含む。
【００３２】
デジタル供与体のための好適な支持体は、例えばプラスチックシート及びプラスチックフィルム、例えばポリエチレンテレフタレート、フルオレンポリエステルポリマー、ポリエチレン、ポリプロピレン、アクリル、ポリ塩化ビニル及びこれらのコポリマー、及び加水分解及び非加水分解酢酸セルロースを含む。この支持体は、対応画像を受容体シートに熱転写するのに十分に、レーザー又はレーザーダイオードによって放射された画像形成用輻射線を通す必要がある。供与体のための好ましい支持体はポリエチレンテレフタレートシートである。好適な供与体支持体の要件は、米国特許第5,935,758号明細書(Patel他)(第7〜8欄)にさらに詳細に記載されている。
【００３３】
転写材料中のバインダーは、ヒドロキシル系樹脂(すなわち複数のヒドロキシ基を有する樹脂)である架橋可能なバインダーを含む。好ましくは、バインダーの100%がヒドロキシル系樹脂である。ヒドロキシ基は、アルコール基又はフェノール基(又はその両方)であってよいが、しかしアルコール基が好ましい。好ましくは、ヒドロキシル系バインダーは、Monsanto, St. Louis, MOからBUTVAR B-76の商品名で入手可能なポリビニルブチラールバインダーである。このようなポリビニルブチラールバインダーが架橋反応に使用されることは典型的ではないが、本発明のシステムにおいて、BUTVAR B-76ポリビニルブチラールは下記潜架橋剤で架橋すると考えられる。バインダー組成は、米国特許第5,935,758号明細書(Patel他)(第8〜9欄)にさらに詳細に記載されている。
【００３４】
総バインダーは、転写材料の乾燥塗膜重量を基準として、約25重量%〜約75重量%の量で、好ましくは約35重量%〜約65重量%の量で存在する。好ましくは、総バインダーのヒドロキシ当量は、約1000グラム/モル以上である。
【００３５】
転写材料はまた、溶融膜又は軟化膜の転写を増強し、また、良好に画定されていて概ね連続的で比較的シャープなエッジを有するハーフトーンドット(すなわち画素)の生成を増強するためのフルオロカーボン添加剤を含む。本発明のシステムの調製及び画像形成に目下用いられる条件下では、フルオロカーボン添加剤は、レーザー露光を施された加熱領域と、露光を施されていない領域との間の界面で転写材料内部の凝集力を低減するのに役立ち、これにより、層の主面に対して垂直方向における、層のきれいな「剪断」を促進すると考えられる。このことは、よりシャープなエッジを有するドットの完全性の改善を可能にする。それというのも、転写される画素が供与体層の残りから分離するのに従って生じる「裂断」又はその他の歪みの傾向が小さくなるからである。従って、着色剤だけが転写される色素転写システムとは異なり、そして典型的には受容体に向かって着色剤を推進する気体が形成されるアブレーション転写システムとは異なり、本発明のシステムは、凝集力の変化の結果として、溶融状態又は軟化状態でバインダー、顔料及びその他の添加物を転写することにより、画像を形成する。凝集力の変化は、転写された材料の領域を制限するのを助け、ひいてはドットサイズを一層強く制御するのを可能にする。
【００３６】
アブレーティブシステムにおいては推進力が形成されるが、このアブレーティブシステムにおける推進力の効果は着色剤を「散乱」させる傾向があり、断片から形成されるドットは余り良好な状態では画定されない。これとは対照的に、本発明のシステムは、材料(例えばバインダー、顔料及び添加剤)の溶融膜又は軟化膜から形成されて溶融膜又は軟化膜として転写されるドットを生成する。架橋剤(下記にさらに詳細に説明する)と共にフルオロカーボン添加剤が、溶融状態又は軟化状態の転写材料からの制御可能な材料流を促進すると考えられる。このメカニズムは、コンベンショナルな熱誘導型ワックス転写システムにおいて発生するメカニズムと類似しているが、しかし、本発明のシステム内の転写材料の溶融又は軟化された材料は、制御不能な状態で受容体に運ばれることはなく、また、受容体表面全体にわたって広がることもない。むしろ本発明のシステムは、材料が溶融又は軟化して移動する、より制御されたメカニズムに関与する。制御されたこのメカニズムは、熱誘導型ワックス転写システムと比べて、ドットゲインを低減し、解像度を高める。
【００３７】
フルオロカーボン添加剤としては、米国特許第5,935,758号明細書(Patel他)(第9〜10欄)にさらに詳細に記載されているような種々多様な化合物を使用することができる。但しこれらの化合物は、通常の塗被条件及び乾燥条件下で実質的に不揮発性であり、バインダー材料と十分に混和性であることを条件とする。好ましいフルオロカーボン添加剤は、スルホンアミド化合物(C8F17)SO2NH(CH2CH3)(N-エチルペルフルオロオクタンスルホンアミド)である。フルオロカーボン添加剤は典型的には、転写材料の乾燥塗膜重量を基準として、約1重量%〜約10重量%の量で使用される。好ましくは、フルオロカーボンと分散性材料(例えば顔料)との重量比は、約1:10以上、好ましくは約1:5以上である。
【００３８】
本発明のシステムにおいて使用される赤外吸収色素(「光熱変換色素」とも呼ばれる)は、光から熱への変換体である。この赤外吸収色素は、米国特許第5,935,758号明細書(Patel他)(第10〜13欄)にさらに詳細に記載されているような、漂白されることが可能なカチオン系色素である。本発明の転写材料における使用に適したカチオン系色素は、テトラアリールポリメチン(TAPM)色素、アミンカチオンラジカル色素、及びこれらの混合物から選択される。好ましくは、色素はテトラアリールポリメチン(TAPM)色素である。これらのクラスの色素は典型的には、他の成分と配合されると安定的であること(すなわち、バインダー樹脂及びその他の転写材料成分と適合性を有すること)、及び、商業的に入手可能なレーザー源と一緒に使用するための正しい波長域内で吸収することが見出される。さらに、これらのクラスの色素は、レーザー輻射線によって光励起されると、下記の潜架橋剤と反応すると考えられる。この反応は、赤外吸収色素を漂白するのに関与するだけではなく、下記にさらに詳細に説明するように、バインダーの架橋をも引き起こす。やはり下記にさらに詳細に説明するように、これらの色素の多くによって示されるさらに別の有用な特性は、求核化合物及び還元剤によって熱漂白され得ることである。求核化合物及び還元剤は受容体層内に内蔵することができる。
【００３９】
漂白可能な赤外吸収色素は、好ましくは、露光波長で約0.5以上、より好ましくは約0.75以上、最も好ましくは約1.0以上の透過光学濃度を提供するのに十分な量で存在する。典型的にはこのことは、転写材料の乾燥塗膜重量を基準として、約3重量%〜約20重量%の赤外色素を用いて達成される。
【００４０】
潜架橋剤(すなわち潜硬化剤)は、下記式：
【００４１】
【化１】
2005502074.tif 000003
【００４２】
の核を有する化合物である。上記式中、R1はH又は有機基であり、R2及びR3のそれぞれは有機基であり、そしてR4はアリール基である。R1、R2及びR3のそれぞれは高分子基であってよい。すなわちこれらは、ヒドロキシル系バインダーと相互作用するためにカルボニル基が利用可能である限り、式の核を有する化合物がポリマーを形成する部位であってよい。好ましくはR1は、H、アルキル基、シクロアルキル基及びアリール基から成る群から選択され(より好ましくは、R1はアルキル基、シクロアルキル基、及びアリール基から成る群から選択される）、R2及びR3のそれぞれは独立してアルキル基又はアリール基であり、そしてR4はアリール基である。この潜架橋剤は好ましくは、転写材料の乾燥塗膜重量を基準として最大約30重量%の量で、転写材料中に使用されるが、供与体要素中での使用に加えて受容体要素中に使用することもできる。本明細書中に使用されるように、潜架橋剤は、典型的にはレーザーアドレス条件下のシステム内でのみ反応性である物質である。この潜架橋剤は、米国特許第5,935,758号明細書(Patel他)(第13〜15欄)にさらに詳細に記載されている。
【００４３】
この架橋剤は、転写された画素内の凝集を可能にするために重要であると考えられる。この架橋剤は、フルオロカーボン添加剤の作用を補完し、その結果、画素が凝集膜として転写される。この凝集膜は、シャープなエッジを有する制御されたサイズのドットが形成されるのを可能とし、再現可能な色を有する高品質画像をもたらす。またこの架橋剤は、顔料が供与体に再転写されて戻されること、並びに、後続の画像形成工程において顔料がドナーに戻し転写されることを防止するのに重要であるとも考えられている。
【００４４】
レーザー画像形成中の架橋効果の結果、良好に画定されて概ね連続的な、比較的シャープなエッジを有する膜から形成されたドットが、高品質転写される。この架橋効果はまた、着色剤が供与体に再転写されて戻されること、並びに、後続の画像形成工程において着色剤がドナーに逆転写されることを防止する。このことは画像形成プロセスを大幅に単純化し、また、より強く制御可能な膜転写をもたらす。これらの効果は、続いて加熱して一層高い架橋密度を促進することによって高めることができる。
【００４５】
注目に値するのは、潜架橋剤は漂白剤として作用することもできるため、画像形成中に発生する熱の制御を支援することである。すなわち、潜架橋剤は、赤外吸収色素を漂白するのを助け、これにより、色素の吸収を急冷し、塗膜のアブレーションを引き起こすおそれのあるいかなる温度急上昇傾向をも緩和する。
【００４６】
分散性材料(転写材料内部に分散されている場合には「分散された」材料とも呼ぶ)は、十分に小さな粒度を有する粒子状物質である。この粒子状物質を分散剤の有無にかかわらず転写材料内部に分散することができる。分散性材料は、米国特許第5,935,758号明細書(Patel他)(第15〜17欄)にさらに詳細に記載されている。
【００４７】
転写材料中での使用に適した分散性材料は、着色剤、例えば顔料及び結晶性の非昇華性色素を含む。転写材料中の顔料又は非昇華性色素は、印刷産業において典型的に使用されるものである。これらの顔料又は色素は一般には、転写材料塗被用組成物中に不溶性であり、大気圧での画像形成条件下では昇華不能である。これらの顔料又は色素はまた、周囲条件下においても画像形成プロセス中においても、漂白剤に対して実質的に不活性であるのがよい。
【００４８】
顔料又は非昇華性色素は好ましくは、転写材料の乾燥重量を基準として約10重量%〜約40重量%の量で転写材料中に存在する。顔料は一般に、転写材料組成物中に練り顔料の形で導入される。この練り顔料は、溶剤又は溶剤混合物中にバインダーと共に分散されて懸濁された顔料を含む。バインダーは典型的には上述のものと同じヒドロキシ官能性高分子樹脂である。好ましい樹脂は、ポリビニルアセタール、例えば、Monsanto, St. Louis, MOからBUTVAR B-76の商品名で入手可能なポリビニルブチラールである。
【００４９】
練り顔料中、又は転写材料組成物全体に、塗被助剤、分散助剤、蛍光増白剤、UV吸収剤、充填剤などを内蔵することもできる。最適な分散品質を達成するために、分散助剤(すなわち分散剤)が必要となる場合がある。多種多様の界面活性剤を使用することにより、溶液安定性を改善することができる。一つの好ましい界面活性剤は、塗膜品質を改善するために転写材料中に使用されるフルオロカーボン界面活性剤である。この界面活性剤は、約0.05重量%以上、好ましくは約0.05重量%以上約5重量%以下であり、典型的には、約1〜2重量%以下の量で使用される。これらの任意の添加剤の使用は、米国特許第5,935,758号明細書(Patel他)(第17欄)にさらに詳細に記載されている。
【００５０】
デジタル供与体要素の転写材料は、単層として、又は、2又は3層以上の隣接層として塗被することができるが、しかし、単層内に全ての必要な成分を含む転写媒質が好ましい。転写材料の成分の相対比率は、成分の特定の選択、及び必要とされる画像形成タイプに応じて幅広く変化することができる。本発明において使用するための転写材料組成物は、米国特許第5,935,758号明細書(Patel他)(第17欄)にさらに詳細に記載されているように、好適な溶剤、典型的には有機溶剤中に種々の成分を溶解又は分散し、そして支持体上にその混合物を塗被することにより、容易に調製される。
【００５１】
顔料を含有する転写材料組成物は、カラー校正産業において用いられる標準的な手順に従って、ヒドロキシ官能性樹脂中に顔料をほぼ等しい重量比で予め分散し、これにより顔料「チップ」を提供することにより調製されるのが最も好都合である。チップを溶剤と練り合わせることにより、練り顔料を提供し、この練り顔料に、さらに樹脂、溶剤などを必要に応じて添加し、これにより最終塗被用配合物を提供する。標準的な塗被方法、例えばローラ塗布、ナイフ塗布、グラビア塗布、バー塗布などのうちのいずれが採用されてもよく、これに続いて、配合物は中度に上昇させた温度で乾燥させられる。
【００５２】
転写材料の成分の相対比率は、成分の特定の選択、及び必要とされる画像形成タイプに応じて幅広く変化することができる。本発明において使用するための好ましい顔料含有媒質は、下記の適切な組成を有する(すべてのパーセンテージは重量で表す)：
【００５３】
ヒドロキシ官能性成膜樹脂(例えばBUTVAR B-76)35〜65%
潜硬化剤                                 最大30%
赤外色素                                 3〜20%
顔料                                    10〜40%
顔料分散剤(例えばDISPERBYK 161)           1〜6%
フルオロケミカル添加剤
(例えばペルフルオロアルキルスルホンアミド)   1〜10%
【００５４】
転写材料組成物の薄い塗膜(例えば乾燥厚約3μm未満)は、レーザー照射により種々の受容体シートに転写することができる。転写は高い感度及び解像度で発生し、約120℃を超える温度で比較的短時間(例えば1分以上)にわたって転写済画像を加熱することにより、硬化及び固化が生じ、こうして画像の耐久性が向上する。
【００５５】
受容体は特定の用途に基づいて選択される。受容体は透明又は不透明であってよい。好適な受容体はコート紙、金属(すなわち鋼及びアルミニウム)；付加重合体(例えばポリ(塩化ビニリデン)、ポリ(塩化ビニル)、ポリ(酢酸ビニル)、ポリスチレン、ポリイソブチレンポリマー及びコポリマー)、及び線状縮合ポリマー(例えばポリ(エチレンテレフタレート）、ポリ(ヘキサメチレンアジペート)、及びポリ(ヘキサメチレンアジパミド/アジペート)を含む種々の成膜合成ポリマー又は成膜高重合体から成るフィルム又はプレートを含む。
【００５６】
本発明のシステムの場合、米国特許第5,935,758号明細書(Patel他)(第18欄)にさらに詳細に記載されているように、受容体は好ましくは、複数の突起を担持する支持体を含み、テキスチャ化表面を提供する。カラー画像形成の場合、受容体は好ましくは紙(普通紙又はコート紙)、又は、熱可塑性受理層が塗被されたプラスチックフィルムである。受理層は典型的には厚さ数マイクロメートルであり、周囲温度で不粘着表面を提供することができる熱可塑性樹脂を含んでよく、この熱可塑性樹脂は転写された材料との適合性を有する。受理層が存在する場合、この受理層は有利には、赤外色素のための漂白剤、粒子状物質、界面活性剤及び酸化防止剤を含有することができる。
【００５７】
供与体、受容体又はその両方を粒子状物質でテキスチャ化するか、又はその他の形式で加工することにより、制御された粗面度を有する表面を示すことができる。すなわち、本発明の供与体、受容体又はその両方は、複数の突起を担持する支持体を含む。これらの突起は、それぞれ供与体/受容体の外面の平面の上に突出する。これらの突起は、例えば米国特許第4,876,235号明細書に開示されているように、ポリマービード、シリカ粒子などをバインダー中に内蔵することにより形成し、これにより受理層を形成することができる。欧州特許出願公開第0382420号明細書に開示されているように、マイクロ複製を用いて突起を形成することもできる。
【００５８】
米国特許第4,885,225号明細書(Heller)に開示されているような、カラープルーフシステムにおける粒子状物質の使用が知られているが、例えば、受容体上の突起が、本発明のプロセスの膜転写メカニズムを著しく増強し、これにより画質を高めることが見出されている。受容体表面内(又は受理体表面上)にこのような突起が設けられていないと、ダスト産物又は斑点が、画像転写のない小さな領域(約1mm)を生じさせる傾向がある。
【００５９】
受容体内の突起は、供与体と受容体との関係を正確に調節する。すなわち、突起は空気が逃れるための通路を提供すると考えられる。この空気はさもなければ、供与体と受容体との間に捕捉されることになる。このように通路を提供することにより、領域全体にわたって供与体と受理体との均一な接触が生じる。通路が設けられていなければ、大型画像のためにこのような均一な接触を達成することは不可能である。より重要な点は、突起が、転写された画像形成済領域内の空気の取込みを防止すると考えられることである。溶融膜又は軟化膜が受容体の所与の領域に移るのに伴い、空気は、突起によって形成された通路を通して逃げることができる。
【００６０】
突起は供与体と受容体との間に概ね均一なギャップを提供する。このギャップは効果的な膜転写にとって重要である。ギャップは、レーザーアドレス時に画像形成中にアブレーティブ転写が発生するほど大きくはない。好ましくは、これらの突起は不活性粒子状物質、例えば高分子ビードから形成される。ビード又はその他の粒子の最適なサイズ及び濃度は、露光用レーザーのフットプリントの寸法、すなわち着色剤層の平面に照射されたスポットの直径に依存することが判った。この直径は、供与体から受容体へ転写することができるドット又は画素の最小サイズを決定する。この最小サイズは典型的には約5μm〜約50μmの範囲にあるが、しかし画像形成エンジンの種々異なる構成に応じて異なることがある。
【００６１】
ビード又はその他の粒子は、事実上均一なサイズを有する(すなわち単分散個体群)を有するか、あるいはサイズが変動してよい。どのタイプの個体群が使用されても、粒子は、平均で約8μmを上回る大きさだけ受容体表面の平面を超えて突出するべきではないが、しかし好ましくは最小約1μmだけ、より好ましくは最小約3μmだけ前記平面を超えて突出するのがよい。高分子ビードの組成は一般に、光透明性を提供するために、可視波長(400nm〜700nm)の実質的に全てが材料を透過されるように選択される。
【００６２】
高分子ビードの形状、表面特性、濃度、サイズ及びサイズ分布は、転写プロセスの性能を最適化するように選択される。ビード表面の平滑さ及びビードの形状は、光の反射可視波長(400nm〜700nm)の量が最小限に維持されるように選択することができる。
【００６３】
最適な粒度は、受理層の厚さ、転写される転写材料(例えば着色剤層)の厚さ、及び所与の受容体に転写される層の数を含む多数のファクターに依存する。単一の受容体に2又は3層以上を転写する場合、粒子によって提供される突起は、受容体に転写される第1層によって覆い隠されないように十分に大きくなければならない。粒子状物質の使用及び仕様は、米国特許第5,935,758号明細書(Patel他)(第19〜20欄)にさらに詳細に記載されている。
【００６４】
本発明のシステムの場合、上述の架橋剤は漂白剤としても作用し、好ましくない可視吸光を除去するのに寄与するので、より正確で予測可能な色を達成することができる。しかし、本発明のシステムは、架橋剤とは異なる別個の熱漂白剤(例えばアミンのような求核剤)を付加的に採用することができる。
【００６５】
好適な熱漂白剤(「漂白剤」とも呼ばれる)は、活性になるために露光を必要としないが、しかし周囲温度又は高温で当該赤外色素を漂白することになる。「漂白」という用語は、これがいかにして達成されるかには無関係に、人間の肉眼に見える色を生じさせる吸収を実質的に低減することを意味する。
【００６６】
欧州特許出願公開第0675003号明細書(3M Company)に記載されているように、好適な熱漂白剤は、求核剤(例えばアミン、又は熱分解してアミンを放出する塩)、又は還元剤を含む。考えられ得るタイプ又は好ましいタイプの漂白剤がさらに、米国特許第5,935,758号明細書(Patel他)(第20〜22欄)にさらに詳細に記載されている。
【００６７】
グアニジンは良好な安定性、溶解性、及び本明細書中に開示したバインダーとの適合性を有している。グアニジンは液体ではなく固体であり、そして急速作用性である。固体は室温で不揮発性なので有利である。グアニジンは比較的小さな分子であり、これらの分子は、加熱されると転写済材料中に極めて効果的に拡散する。注目すべきことは、グアニジンが保存中には退色作用を有さず、支持体上への塗被前には水性系(例えばラテックス系)から析出せず、そして塗膜から結晶化しない点である。
【００６８】
どのタイプの熱漂白剤を使用しても、熱漂白剤は典型的には、また好ましくは、画像形成前には受容体要素の表面上の受理層内に存在するが、画像を転写して供与体と受容体とを分離するのに続く付加的な工程において、適切な手段によって、転写済画像上に熱漂白剤を堆積させることも同様に可能である。式IVの化合物を基準として約10モル%の量が効果的である。一般に、約2重量%〜約25重量%、通常は約5重量%〜約20重量%の漂白剤を受容体層に装入することが好適である。
【００６９】
好ましくは、デジタル受容体は、ポリエチレンテレフタレートシート(75〜150μm厚)から成る。このシート上には、アクリル系接着剤又は酢酸ビニル接着剤から成る剥離可能な層が塗被される。この層上には、熱可塑性バインダー、漂白剤及び粒子状物質の分散体が塗被され、これにより受理層が形成される。その他の添加剤、例えば界面活性剤及び酸化防止剤が存在してもよい。この分散体は典型的には水又は有機溶剤から塗被される。好適な有機溶剤は、供与体要素の調製の際に支持体上に転写材料を塗被するための上述の溶剤、並びに、例えばトルエンのようなその他の溶剤を含む。
【００７０】
受理層内に使用するための一つの好ましいバインダーは、GAF, Manchester, UKから商品名E-735で入手可能な、ポリビニルピロリドン/酢酸ビニルのコポリマーである。別の好ましいバインダーは、Goodyear, Akron, OHから商品名PLIOLITE S5Cで入手可能なスチレン-ブタジエンのコポリマーである。さらに別の好ましいバインダーは、Phenoxy Associatesから商品名PAPHEN PKHM-301で入手可能なフェノキシ樹脂である。好適な受容体層は約5.9g/m2で塗被されたPLIOLITE S5Aを含み、このPLIOLITE S5Aは、漂白剤としてジフェニルグアニジン(総固形分の10重量%)と、ポリ(ステアリルメタクリレート)のビード(直径8μm)(総固形分の約5重量%)とを含有する。
【００７１】
上述のように、デジタル画像を形成するための好適な技法は、インクジェットシステム、サーモグラフィシステム、電子写真システム、エレクトログラフィシステム及びレーザー誘起型システムを含む。デジタル画像を担持する支持体は技法相互間で異なっていてよい。図1に示すデジタル供与体10から、図2に示すデジタル受容体20へ材料を像様転写するための手順は、これら2つの要素を緊密に面間接触させた状態で集成し、これにより図3に示すデジタル画像形成要素30を形成することを伴う。集成は例えば真空による押さえ付けによって、又は米国特許第5,475,418号明細書に記載された円柱レンズ装置によって実施することができ、そして好適なレーザーによって走査することができる。この集成体には、使用される吸収体に応じて、一般に使用されるレーザーのいずれかによって画像を形成することができるが、しかし近赤外放射レーザー、例えばダイオードレーザー及びYAGレーザーによるアドレスが好ましい。供与体10と受容体20とを引き離すことにより、図4に示すように、受容体20上のモノクロ画像12aを露出させる。
【００７２】
支持体上にデジタルカラー画像を生成するためのこの技法例の場合、支持体はデジタル受容体20である。支持体上にデジタルカラー画像を生成するプロセスを、種々異なる色の供与体シートを使用して1回又は2回以上繰り返し、これにより、共通の受容体20上に多色画像を形成することができる。従って、デジタル画像12aは2色以上を含むことができる。
【００７３】
受容体20から供与体シート10を剥離した後、好ましくは約120℃を上回る温度で熱処理を施すことにより、支持体上に存在するデジタル画像12aを硬化させることができる。このことは、種々の手段、例えば炉内での保存、熱風処理、加熱されたプラテンとの接触、又は加熱されたローラ装置内の通過によって行うことができる。2又は3つ以上のモノクロ画像が共通の受容体に転写される多色画像形成の場合、全ての別個の着色剤転写工程が完了するまで硬化工程を遅らせ、続いて複合画像に対して単回の熱処理を提供すると、より好都合である。しかし、個々の転写済画像が特に軟質であるか又は未硬化状態で損傷を受け易い場合には、それぞれのモノクロ画像を次の画像の転写前に硬化して固化させることが必要となる場合があるが、しかし本発明の好ましい実施態様の場合、このことは必要でない。着色剤画像が最初に転写される受容体が、画像が見られる最終支持体でない場合には、第2の受容体への転写の経過中に、画像の硬化及び固化が達成されると好都合である。
【００７４】
本発明のハイブリッド画像形成法は、1つ以上のアナログ画像形成工程を含む。好ましくはこの工程は、アナログ受理体材料42が塗被されたアナログ支持体要素41を有する、図5に示すアナログ受理体要素40を準備することにより達成される。好ましくは、アナログ支持体要素41は、付加重合体(例えばポリ(塩化ビニリデン)、ポリ(塩化ビニル)、ポリ(酢酸ビニル)、ポリスチレン、ポリイソブチレンポリマー及びコポリマー)、及び線状縮合ポリマー(例えばポリ(エチレンテレフタレート）、ポリ(ヘキサメチレンアジペート)、及びポリ(ヘキサメチレンアジパミド/アジペート)を含む種々の成膜合成ポリマー又は成膜高重合体、並びに、プラスチックシート及びプラスチックフィルム、例えばポリエチレンテレフタレート、フルオレンポリエステルポリマー、ポリエチレン、ポリプロピレン、アクリル、ポリ塩化ビニル及びこれらのコポリマー、及び加水分解及び非加水分解酢酸セルロースから成る。より好ましくは、アナログ支持体要素はポリエステルシートである。
【００７５】
アナログ支持体要素41上には、アナログ受理体材料42の層が塗被される。この層は好ましくは樹脂である。この樹脂は任意の熱可塑性樹脂であってよい。アナログ受理体材料に適した熱可塑性樹脂の例は、熱可塑性線状ポリマー、例えばポリビニルブチラール、ポリビニルホルマール、ポリスチレン、ポリ塩化ビニル、ポリ塩化ビニリデン、ポリアクリル酸エステル、ポリ酢酸ビニル、ポリエステル、ポリウレタン及びポリアミド、ポリエチレン、フェノキシ樹脂、酢酸ビニルと塩化ビニルとのコポリマー、スチレンとイソプレンとのコポリマー、スチレンとブタジエンとのコポリマー、スチレンとアクリロニトリルとのコポリマー、酢酸ビニルとメタクリル酸メチルとメタクリル酸ブチルとのターポリマー、N-ヒドロキシメチルアクリルアミドとアクリル酸ブチルとメタクリル酸メチルとのターポリマーを含む。樹脂の層は1又は2種以上の樹脂を含んでよく、また任意には、その他の添加剤、例えば界面活性剤、可塑剤、顔料、蛍光増白剤、凝集助剤などを含んでよい。好ましくは、アナログ受理体材料42は、デジタル画像12aを担持する支持体に付着する材料である。例えば、デジタル画像12aが詳細に上述したようなレーザー誘起型膜転写によって形成される場合、アナログ受理体材料42は好ましくは、アナログ支持体要素41上に塗被されたポリエステル層である。
【００７６】
次いで図6に示すように、アナログ受理体要素42をデジタル生成画像上に上から貼り合わせ、図7に示すように、アナログ支持体要素41を好ましくは、貼り合わされた画像から剥離し、アナログ受理体材料42が上塗りされたデジタル生成画像12aを残す。
【００７７】
次いで図８に示すように、デジタル生成画像12aを担持する支持体に貼り合わされたアナログ受理体材料42上に、光重合性組成物51を塗被する。光重合性組成物51の主要成分は、オリゴマー、バインダー、光開始系、及び着色剤である。
【００７８】
光開始剤系としては、光増感剤と、光増感時に遊離基重合を開始することができる化合物とを有することが好ましい。本発明を実施する上で、この第2の化合物は開始剤として定義される。光増感剤系はより好ましくは、0.5〜10部の量で存在する。
【００７９】
一般に、本発明の光重合性組成物は、低沸点(大気圧における沸点が約150℃未満)の極性溶剤中で成分を混合することにより調製される。この極性溶剤は、カルボキシル基又はエチレン系不飽和基とは反応しない溶剤であって、例えばメタノール、エタノール、プロパノール、アセトン、メチルエチルケトン、テトラヒドロフラン又はこれらの混合物である。水が存在してもよいが、溶剤中、水は50重量%未満であることが好ましい。使用される溶剤の量(一般には0重量%〜98重量%、好ましくは10重量%〜96重量%)は、所期粘度及び所期塗被厚に依存する。
【００８０】
任意には、これらの光重合性組成物は、任意の数の付加的な有用な添加剤、例えば塗被助剤、界面活性剤などを含有することができる。例えば、界面活性剤又は塗被助剤を添加することがしばしば望まれるが、しかしこれらの助剤は溶剤を含めて、本発明の実施に機能的に必要とされるものではなく、より良好な実施の形態であるにすぎない。界面活性剤に関しては、これは0.001%〜2%の量で存在してよく、特に有用な界面活性剤はシリコーン又はフルオロカーボン界面活性剤を含む。
【００８１】
好ましくは、オリゴマーは米国特許第4,228,232号明細書(Rousseau)に記載されているようなウレタンオリゴマーである。具体的には、オリゴマーは式
【００８２】
【化２】
2005502074.tif 000004
【００８３】
を有しており、上記式中、Eはエチレン系不飽和型の遊離基重合可能な基であり、Dはポリイソシアネートの残基であり、この残基は、E及びRに結合された
【００８４】
【化３】
2005502074.tif 000005
【００８５】
基を形成するように反応させられたそのイソシアネート基のうちの2基以上を有し、Rは、少なくともa+b個のヒドロキシル基を有するポリオールの残基であり、この残基は、ヒドロキシル基から水素を除去することにより形成され、前記ポリオールは、数平均分子量90〜10,000を有し、Aは、カルボン酸含有基であり、aは平均値2〜20の数であり、そしてbは平均値0.3〜10の数である。オリゴマーのグラム分子量に対する、オリゴマー上の酸(カルボン酸)基の数の比を制御することは、光開始反応後の支持体に対する組成物の結合性を制御する効果的な方法である。酸濃度が増大するのに従って、組成物は現像時により容易に除去されることになる。最終生成物に望まれる性能特性に応じて、広範囲の比を使用することができる。酸基に対する分子量の比が67〜17,000である組成物が有用である。オリゴマー中の酸基に対する分子量の比は500〜5,000であることが好ましく、最も好ましくは800〜3,000である。
【００８６】
光重合性組成物はバインダーを含んでもよい。この材料は有機膜形成ポリマーであり、このポリマーの分子量は6,000以上、好ましくは12,000以上、最も好ましくは15,000以上である。バインダーがレイビル水素又は容易に引き抜き可能な水素を有することが望ましいが、しかしこのことは本発明の実施にとって本質的なものではない。分子量が最大2,000,000又は3,000,000のバインダーが当業者に知られているが、ポリマーの分子量は好ましくは100,000以下であり、より好ましくは80,000以下であり、最も好ましくは50,000以下である。水素がラバイル又は容易に引き抜き可能であるためには、バインダー中の水素は、N, S, Se及びOから選択された隣接する異種原子を有する炭素原子に結合されなければならない。好ましくは異種原子はN, S又はOである。容易に引き抜き可能な水素を有する炭素が、C, N, S及びO原子から成る5,6又は7員複素環内にあることも好ましく、好ましくは2つの異種原子が、ラバイル水素を有する炭素原子に隣接する。ラバイル水素を担持する炭素原子は第1炭素であってよいが、しかし第2又は第3炭素であるのが好ましい。引き抜きが容易になればなるほど、組成物が必要とするバインダーの比率は低くなるが、その関係は必ずしも線形ではない。好ましいバインダーは、ポリビニルアセタール、例えばポリビニルホルマール、ポリビニルブチラール及びこれらの混合物、ポリ(ビニルメチルエーテル)、ポリビニルアルコール、ヒドロキシアルキルセルロース(例えばヒドロキシプロピルセルロース)、ポリアミド、ポリ酢酸ビニル、ポリ酢酸ビニル-ポリ塩化ビニルのコポリマー、ポリ酸化エチレン、及びポリアクリレート(例えばポリアルキルメタクリレート)である。
【００８７】
光重合性組成物はまた、輻射線を吸収すると遊離基重合を開始することができる輻射線感受性系を有さなければならない。遊離基開始剤は、当業者に知られた材料、例えばFree-Radical Chemistry, D.C.Nonhebel及びJ.C.Walton, University Press (1974)に記載された材料である。特に好適な遊離基発生剤は、例えば、有機過酸化物、アゾ化合物、芳香族ジアゾニウム塩、芳香族ヨードニウム塩、芳香族スルホニウム塩、芳香族ホスホニウム塩、キノン、ベンゾフェノン、ニトロソ化合物、ハロゲン化アシル、ハロゲン化アリール、ヒドラゾン、メルカプト化合物、ピリリウム化合物、トリアリールイミダゾール、ビイミダゾール、クロロアルキルトリアジンなどを含む多くのクラスの有機化合物から選択することができる。これらの材料は一般に、光増感剤を共に有することにより、光開始剤系を形成しなければならない。光増感剤は当業者に良く知られている。
【００８８】
エチレン系不飽和型化合物のための遊離基光開始剤系に関する当業者による付加的な参考文献が、米国特許第3,887,450号明細書(例えば第4欄)、同第3,895,949号明細書(例えば第7欄)、及び同第4,043,810号明細書に含まれる。好ましい開始剤は、米国特許第3,729,313号明細書、同第4,058,400号明細書及び同第4,058,401号明細書に開示されているようなオニウム塩である。その他の望ましい開始剤は、米国特許第3,775,113号明細書に記載されているようなビイミダゾール及びクロロアルキルトリアジンである。これらの参考文献はまた、増感剤を開示している。光開始剤系に関する別の有用な参考文献は、Light-Sensitive Systems, J.Kosar, 1965, J. Wiley and Sons, Inc.の特に第5章である。
【００８９】
好ましい開始剤の一つのタイプは、ハロメチル-1,3,5-トリアジン化合物、より好ましくは発色団置換型ハロメチル-1,3,5-トリアジン光重合開始剤を含む。本明細書中に使用される「発色団置換型」という用語は、米国特許第3,987,037号明細書に記載されているように、エチレン系不飽和によってトリアジン環と共役された発色成分によって置換されることを意味する。
【００９０】
好ましくは、ハロメチル-1,3,5-トリアジン光重合開始剤は、米国特許第5,484,919号明細書(Bonham)に記載されているような一般式のうちの一つを有する。好ましくは、光重合開始剤は、式：
【００９１】
【化４】
2005502074.tif 000006
【００９２】
(上記式中、R1は、ヒドロキシル置換型、発色団置換型のハロメチル-1,3,5-トリアジン化合物R1-OHの残基を表し；R2は、反応性が非類似の、すなわち反応速度が非類似のイソシアナト基を有する化合物R2-(NCO)2からの残基を表し；そしてR3は、ヒドロキシル置換型化合物R3-(OH)x(xは1以上の整数(好ましくは1-10)である)の残基を表す)の化合物であり、より好ましくは、メタ-MOSTOL(1.1モル)とも呼ばれる2,4-ビス(トリクロロメチル)-6-[3-(2-ヒドロキシエトキシ)スチリル]-1,3,5-トリアジンである。
【００９３】
本発明において有用な光重合性組成物中の着色剤は、光重合性組成物中に分散可能な材料である限り、所望の色相を有する事実上任意の色素又は顔料、又は、色素及び/又は顔料の混合物であってよい。換言すれば、塗被用溶剤中に可溶性であって、光重合性組成物の層の感光性に不都合に影響を与えたり、重合反応を阻害したり、隣接層内に過剰に移行したりすることがなければ、いずれの着色剤も好適である。
【００９４】
色を向上させる分散性材料(すなわち色向上添加剤)は例えば、蛍光物質、真珠箔物質、真珠光沢物質、及び金属物質を含む。シリカ、高分子ビード、反射性及び非反射性ガラスビード又は雲母のような材料を分散性材料として使用して、テキスチャーを有する画像を提供することもできる。このような材料は典型的には無色であるが、しかし白色であってもよく、あるいは、例えば顔料の色を損なうことのない色を有してもよい。このような材料をテキスチャ化用材料と呼ぶことができる。色向上添加剤又はテキスチャ化用材料は、単独で使用するか、あるいは顔料又は色素との組み合わせで使用することにより、所望の視覚効果を有するプルーフを生成することができる。
【００９５】
顔料及び結晶性の非昇華性高分子色素が好ましい。なぜならば、これらは層間を移行する傾向が小さいからである。多種多様な色が利用可能であり、コストが低く、そして印刷用インクとの相関性が大きいことにより、顔料がより好ましい。固形粒子顔料は典型的には、日光、熱、湿分などに対する長期間の暴露時の漂白又は退色に対する抵抗が、可溶性色素と比較して著しく大きく、従って、耐久性のある画像を形成するのに使用することができる。カラー校正用材料において顔料分散形を使用することは当業者に良く知られており、これを目的として以前に使用された顔料のいずれをも本発明に使用することができる。顔料は、カラー印刷産業によって確立された色表示に合わせるために、商業的に利用可能な多くのタイプから選択することができる。光重合性組成物中の着色剤として、またより具体的には、カラー校正用途に使用される光重合性組成物中の着色剤としては、顔料がより好ましい。International Prepress Proofing Associationによって提供されたイエロー、マゼンタ、シアン及びブラックの基準(SWOP色基準として知られる)に適合した顔料又は顔料ブレンドが特に好ましいが、本発明はこれらの色に限定されるものでは決してない。乳白光、蛍光、UV吸収性、IR吸収性、強磁性のような特殊効果を付与するものを含む、事実上任意の色の顔料を使用することができる。
【００９６】
顔料又は複合顔料は、光重合性組成物中で顔料を練磨することにより分散することができる。より好ましくは、顔料は、分散用樹脂又は複合樹脂中で顔料を練磨することにより分散され、次いで光重合性組成物に添加される。
【００９７】
好ましくは、図8に示すように、デジタルカラー画像12aを担持する支持体上に堆積されたアナログ受理体材料42(例えばポリエステル)上に、光重合性組成物51を塗被する。本発明において有用な光重合性組成物の塗被重量は、通常は0.3〜9g/m2、好ましくは0.5〜5g/m2、最も好ましくは0.8〜2.4g/m2である。
【００９８】
次いで、当業者に知られているように、光重合性材料51の層に、化学線による像様露光を施す。次いで、光重合性材料の着色層の露光されていない領域を、現像剤溶液で溶解して除去し、こうしてデジタルカラー画像12a上に堆積された着色アナログ画像51aを残し、図9に示すようなハイブリッドアナログ/デジタルカラー画像を形成する。このようにして、アナログ画像はデジタル生成画像上に直接的に形成される。
【００９９】
露光後にアナログ画像を現像するために使用される現像液は典型的には、炭酸ナトリウム又は炭酸カリウムと、重炭酸ナトリウム又は重炭酸カリウムと、界面活性剤との組み合わせから成る。例えば、炭酸塩濃度は総現像液の0.5〜2重量%の量であり、重炭酸塩濃度は0〜1重量%の量であり、そして界面活性剤濃度は、0.1〜1重量%の量であり、また残余は水である。幾つかの好ましい界面活性剤の一例として、下記の商業的に入手可能な界面活性剤が挙げられる：Air Products製のSURFYNOL 465(エトキシル化テトラメチルデシンジオール)；CasChem製のSURFACTOL 365(エトキシル化ひまし油)；Air Products製のTRITON X-100(オクチルフェノキシ-ポリエトキシエタノール)及びSURFYNOL GA(他の非イオン系界面活性剤及び溶剤と配合されたアセチレン系ジオール)。
【０１００】
これらの工程のそれぞれを、異なる色に対応して繰り返すことができ、これにより、ハイブリッドデジタル/アナログカラー画像の同じ側で、前の着色画像の上に、異なる色を含有する次のアナログ光重合性組成物が塗布される。図10は、アナログ/デジタルカラー画像に対する付加的なアナログ画像の取り付けを示す。具体的には、アナログ/デジタルカラー画像上に、第2のアナログ受理体要素を堆積し、像様露光して、第2のアナログ画像51a'を含むハイブリッドデジタル/アナログカラー画像形成要素50'を生成することができる。第2のアナログ受理体要素には、アナログ/デジタルカラー画像との集成後に光重合性組成物を塗被することができる。変更を加えた実施態様では、第2のアナログ受理体要素には、後述のように、集成前に光重合性組成物を塗被することができる。
【０１０１】
図11及び図12は、最終カラープルーフ60を形成するための技法を示す。第2のアナログ画像51a'に、永久支持体52を面間接触させることができる。受理層22からデジタル受理体支持体21を除去すると、結果として最終カラープルーフ60が生じる。図12に示す例の場合、最終カラープルーフ60は、2つのアナログ画像51a及び51a'と共にデジタル画像12aを含む。
【０１０２】
図13は、アナログ/デジタルカラー画像に対するアナログ画像の取り付けの別の実施態様を示す。具体的には、デジタル生成画像12aを担持する支持体上に、前塗被済のアナログ受理体要素74を貼り合わせることにより、ハイブリッドデジタル/アナログ画像形成要素70を生成することができる。前塗被済のアナログ受理体要素74は、接着剤層71と、光重合性組成物72の層と、剥離層73とを含むことができる。前塗被済のアナログ受理体要素74はさらに、剥離層73と接触したポリエステル支持体フィルム(図示せず)を含むことができる。デジタル画像12aを担持する支持体に、前塗被済のアナログ受理体要素74を接合するのに続いて、ポリエステル支持体フィルムを除去することができる。ハイブリッドデジタル/アナログ画像形成要素70に像様露光を施すことにより、デジタル生成画像12a上に直接的にアナログ画像72aが生成される。
【０１０３】
上述の技法を用いて、ハイブリッドデジタル/アナログ画像形成要素70に、付加的なアナログ画像を取り付けることができる。具体的には、ハイブリッドデジタル/アナログ画像形成要素70と、第2のアナログ受理体要素とを集成することができる。
【０１０４】
図15及び16は、ハイブリッドデジタル/アナログ画像形成要素70に、付加的なアナログ画像を取り付ける技法を示す。第2のアナログ受理体要素とハイブリッドデジタル/アナログ画像形成要素70とを集成するのに続いて、第2のアナログ受理体要素に第2の光重合性組成物を塗被するか、又は、集成前に第2の光重合性組成物を前塗被することができる。図15の場合には、第2のアナログ受理体要素は前塗被されている。第2のアナログ受理体要素74'に像様露光を施し、第2のアナログ画像72a'を含むハイブリッドデジタル/アナログ画像形成要素70を生成することができる。
【実施例】
【０１０５】
本発明の実施を説明するために、2つの例を下記に示す。第1の例は、4色デジタルハーフトーン画像の調製に関する。受容体上の4色デジタル画像を下記のように調製した：MATCHPRINT DIGITAL HALFTONEシアン、イエロー、マゼンタ及びブラック供与体の商品名でKodak Polychrome Graphics(Norwalk, CT)から商業的に入手可能な4色供与体と、MATCHPRINT DIGITAL HALFTONE RELEASE RECEPTORの商品名で商業的に入手可能な剥離受容体とを、Creo(Vancover, B.C)製のCREO SPECTRUM TRENDSETTERの商品名で商業的に入手可能な画像形成装置のカセット内に装入した。受容体要素上にリバースリーディングの4色ハーフトーン画像を形成した。画像形成装置で下記条件を用いて画像形成を行った：ブラック(14ワット、125rpm)、シアン(16.8ワット、160rpm)、マゼンタ(14.9ワット、120rpm)、イエロー(17ワット、170rpm)。
【０１０６】
上記から形成された受容体上の4色デジタル画像を、MATCHPRINT COMMERCIAL BASEの商品名で商業的に入手可能な2片のベース支持体上に(塗被側を上にして)置いた。画像を担持する受容体の先端をベースにテープ固定した。受容体-デジタル画像-ベース「サンドイッチ」を、MATCHPRINT 447 LAMINATORの商品名で商業的に入手可能なラミネーターの下側のトレイ内に置いた。MATCHPRINT PLUS RECEIVERの商品名で商業的に入手可能なアナログ受理体要素を、ラミネーターの上側のトレイ内に置いた。アナログ受理体要素を、デジタル画像受理体に下記条件下で貼り合わせた：上側ラミネーターロール=290°F(143.3℃)、下側ラミネーターロール=170°F(76.7℃)、処理量=35インチ/分(88.9cm/分)。この構造を冷ましておき、アナログ受理体ベースを画像からゆっくりと剥離し、デジタル画像に貼り合わされたアナログ受理体塗膜を残した。受理体塗膜を有するデジタル画像を、MATCHPRINT PLUS MODEL 3040 COATERの商品名で商業的に利用可能なアナログコーターに置いた。アナログ受理体塗膜上に、MATCHPRINT PLUS WARM RED INKの商品名で商業的に入手可能なアナログ光重合性組成物を下記条件下で塗被し、そして乾燥させた；#11マイヤーバー、塗被速度=38インチ/分(96.5cm/分)、乾燥速度=13インチ/分(33cm/分)、乾燥温度=〜115°F(46.1℃)。赤インク塗膜を有するデジタル画像を、ラミネーターの下側のトレイ内に置いた。受理体要素とデジタル画像との貼り合わせ後に除去されたアナログ受理体ベースを上側のトレイ内に置いた。この構造を上述のように「再貼り合わせ」した。アナログ受理体ベースを剥離した。この再貼合わせは、受理体塗膜に対するアナログ光重合性組成物の付着性を改善するために行われるものであるが、しかしこれは任意の工程である。アナログ光重合性組成物に画像を形成するために、ハロゲン化銀を基剤とするネガティブフィルム(リバースリーディング)を、赤色を塗被されたデジタル受容体と、真空フレーム内で接触させた(乳剤側を赤色インク層と接触させる)。約30秒にわたって要素に真空を負荷した。5kWのOlec Model L1261感光性ポリマー用電球を使用して、この要素に化学線を当てた。露光済アナログ/デジタル構造を取り出し、KODAK POLYCHROME GRAPHICS MATCHPRINT PLUS DEVELOPERを使用して、KODAK POLYCHROME GRAPHICS MATCHPRINT MODEL 2530 PROCESSORの商品名で商業的に入手可能なアナログ現像機に通した。処理量は60インチ/分(152.4cm/分)、現像液流量は1000cc/分であり、現像液温度は80°F(26.7℃)であった。
【０１０７】
結果として生じた5色ハイブリッドデジタル/アナログ画像を、KODAK POLYCHROME GRAPHICS MODEL 447L LAMINATORの商品名で商業的に入手可能なラミネーターを使用して、KODAK POLYCHROME GRAPHICS MATCHPRINT DIGITAL HALFTONE COMMERCIAL BASEの商品名で商業的に入手可能な最終支持体に貼り合わせた(20インチ/分;上側ロール温度=275°F(135℃)；下側ロール温度=225°F(107.2℃))。プルーフを室温まで冷ました後、キャリア支持体を剥離して、ベース上に5色ハイブリッドデジタル/アナログプルーフを残した。
【０１０８】
第2の例は、5色デジタルハーフトーン画像の調製に関する。受容体上の5色デジタル画像を下記のように調製した：MATCHPRINT DIGITAL HALFTONEシアン、イエロー、マゼンタ、カスタムオレンジ及びブラック供与体の商品名でKodak Polychrome Graphics(Norwalk, CT)から商業的に入手可能な5色供与体と、MATCHPRINT DIGITAL HALFTONE RELEASE RECEPTORの商品名で商業的に入手可能な剥離受容体とを、Creo(Vancover, B.C.)製のCREO SPECTRUM TRENDSETTERの商品名で商業的に入手可能な画像形成装置のカセット内に装入した。受容体要素上にリバースリーディングの5色ハーフトーン画像を形成した。画像形成装置で下記条件を用いて画像形成を行った：ブラック(14ワット、125rpm)、シアン(16.8ワット、160rpm)、マゼンタ(14.9ワット、120rpm)、イエロー(17ワット、170rpm)、カスタムオレンジ(16.5ワット、120rpm)。
【０１０９】
上記から形成された受容体上の5色デジタル画像を、MATCHPRINT COMMERCIAL BASEの商品名で商業的に入手可能な2片のベース支持体上に(塗被側を上にして)載置した。画像を担持する受容体の先端をベースにテープ固定した。受容体-デジタル画像-ベース「サンドイッチ」を、MATCHPRINT 447 LAMINATORの商品名で商業的に入手可能なラミネーターの下側のトレイ内に置いた。MATCHPRINT NEGATIVE WHITE(「アナログホワイト供与体」)の商品名で商業的に入手可能なアナログカラー供与体を、ラミネーターの上側のトレイ内に置いた。アナログホワイト供与体をデジタル画像受容体に、下記条件下で貼り合わせた：上側ラミネーターロール=290°F(143.3℃)、下側ラミネーターロール=170°F(76.7℃)、処理量=50インチ/分(127cm/分)。この構造を冷ましておき、アナログホワイトベースを画像からゆっくりと剥離し、デジタル画像に貼り合わされたホワイト塗膜を残した。
【０１１０】
アナログ光重合性組成物に画像を形成するために、ハロゲン化銀を基剤とするネガティブフィルム(リバースリーディング)を、デジタル受容体と真空フレーム内で接触させた(乳剤側をホワイト層と接触させる)。約30秒にわたって、要素に真空を負荷した。5kWのOlec Model L1261感光性ポリマー用電球を使用して、この要素に化学線を当てた。露光済アナログ/デジタル構造を取り出し、KODAK POLYCHROME GRAPHICS MATCHPRING COLOR PROOFING NEGATIVE DEVELOPERを使用して、KODAK POLYCHROME GRAPHICS MATCHPRINT MODEL 2530 PROCESSORの商品名で商業的に入手可能なアナログ現像機に通した。処理量は60インチ/分(152.4cm/分)、現像液流量は1000cc/分であり、現像液温度は80°F(26.7℃)であった。
【０１１１】
結果として生じた6色ハイブリッドデジタル/アナログ画像を、KODAK POLYCHROME GRAPHICS MODEL 447L LAMINATOR(20インチ/分;上側ロール温度=275°F(135℃)；下側ロール温度=225°F(107.2℃)の商品名で商業的に入手可能なラミネーターを使用して、30 lbのアルミニウム処理された紙フォイルの最終支持体に貼り合わせた。プルーフを室温まで冷ました後、キャリア支持体を剥離して、ベース上に6色ハイブリッドデジタル/アナログプルーフを残した。
【０１１２】
前記詳細な説明及び例は、理解し易さのために示したにすぎない。これらから不要な限定が生じることはない。本発明は、図面及び説明に示した詳細に限定されるものではない。特許請求の範囲によって定義される本発明の中に、当業者に明らかな変更形が含まれる。
【図面の簡単な説明】
【０１１３】
【図１】図1は、転写材料(12)が塗被された供与体支持体(11)を有する、デジタル画像形成に使用されるデジタル供与体要素(10)を示す図である。
【０１１４】
【図２】図2は、受理層(22)が塗被されたデジタル受理体支持体(21)を有する、デジタル画像形成に使用されるデジタル受容体要素(20)を示す図である。
【０１１５】
【図３】図3は、供与体要素(10)の塗被済の転写材料(12)を有するデジタル画像形成要素(30)を、転写材料(12)が受容体要素(20)の受理層(22)と面間接触した、レーザーによる像様露光前の状態で示す図である。
【０１１６】
【図４】図4は、画像形成要素(30)にレーザーアドレスによる像様露光を施し、供与体要素(10)と受容体要素(20)とを分離する結果生じる、受容体要素の受理層(22)上にデジタルハーフトーン画像(12a)を有する受容体要素(20)を示す図である。
【０１１７】
【図５】図5は、アナログ支持体要素(41)とアナログ受理体材料(42)とを有するアナログ受理体要素(40)を示す図である。
【０１１８】
【図６】図6は、アナログ受理体要素(40)のアナログ受理体材料(42)を、デジタル画像(12a)と密接に面間接触した状態で示す図である。
【０１１９】
【図７】図７は、アナログ支持体要素(41)を除去した結果生じるデジタル/アナログ画像形成要素(50)を示す図である。
【０１２０】
【図８】図８は、光重合性組成物(51)の層が塗被されたデジタル/アナログ画像形成要素(50)を示す図である。
【０１２１】
【図９】図9は、デジタル/アナログ画像形成要素(50)及び光重合性組成物(51)の層に像様露光及び処理を施す結果生じるアナログ画像(51a)を有する、デジタル/アナログ画像形成要素(50)のアナログ受理体材料(42)を示す図である。
【０１２２】
【図１０】図10は、第2のアナログ画像(51a')を有するデジタル/アナログ画像形成要素(50')であって、アナログ画像(51a)と密接に面間接触した、アナログ支持体要素とアナログ受理体要素(42')とを含む第2アナログ受理体要素を形成し、アナログ支持体要素を除去し、アナログ受理体材料(42')に第2光重合性組成物の層を塗被し、そしてデジタル/アナログ画像形成要素(50')及び第2光重合性組成物の層とに像様露光及び処理を施す結果として生じる第2アナログ画像(51a')を有するデジタル/アナログ画像形成要素(50)を示す図である。
【０１２３】
【図１１】図11は、デジタル/アナログ画像形成要素(50')及び永久支持体(52)であって、この永久支持体が、ハイブリッドデジタル/アナログ画像形成要素(50')に永久支持体を貼付けることにより、第2アナログ画像(51a')と面間接触している、デジタル/アナログ画像形成要素(50')及び永久支持体(52)を示す図である。
【０１２４】
【図１２】図12は、本発明のシステムに由来する最終的なハイブリッドデジタル/アナログカラープルーフ(60)であって、デジタル受容体要素(20)の受理層(22)からデジタル受理体支持体(21)を除去する結果生じるハイブリッドデジタル/アナログカラープルーフ(60)を示す図である。
【０１２５】
【図１３】図13は、接着層(71)と、光重合性組成物(72)の層と、剥離層(73)とを有する前塗被済のアナログ受理体要素(74)を、デジタル画像(12a)と緊密に面間接触した状態で示す図である。
【０１２６】
【図１４】図14は、剥離層(73)を除去する結果として生じるデジタル/アナログ画像形成要素(70)を示す図である。
【０１２７】
【図１５】図15は、デジタル/アナログ画像形成要素(70)を、接着層(71')と、光重合性組成物(72)の層と、剥離層(73')とを有する予塗被された第2アナログ受理体要素(74')と緊密に接触する状態で示す図である。
【０１２８】
【図１６】図16は、剥離層(73')の除去の結果生じる、デジタル/アナログ画像形成要素(70)と第2のアナログ画像(72a')とを含むデジタル/アナログ画像形成要素(70')を示す図である。
【国際公開パンフレット】
2005502074.tif 000007
2005502074.tif 000008
2005502074.tif 000009
2005502074.tif 000010
2005502074.tif 000011
2005502074.tif 000012
2005502074.tif 000013
2005502074.tif 000014
2005502074.tif 000015
2005502074.tif 000016
2005502074.tif 000017
2005502074.tif 000018
2005502074.tif 000019
2005502074.tif 000020
2005502074.tif 000021
2005502074.tif 000022
2005502074.tif 000023
2005502074.tif 000024
2005502074.tif 000025
2005502074.tif 000026
2005502074.tif 000027
2005502074.tif 000028
2005502074.tif 000029
2005502074.tif 000030
2005502074.tif 000031
2005502074.tif 000032
2005502074.tif 000033
2005502074.tif 000034
2005502074.tif 000035
2005502074.tif 000036
2005502074.tif 000037
2005502074.tif 000038
2005502074.tif 000039
2005502074.tif 000040
2005502074.tif 000041
2005502074.tif 000042
2005502074.tif 000043
2005502074.tif 000044
2005502074.tif 000045
2005502074.tif 000046
2005502074.tif 000047
2005502074.tif 000048
【国際調査報告】
2005502074.tif 000049
2005502074.tif 000050